(57)【要約】【課題】操作の内容、ユーザの状態、ウィンドウの状態、広告製品の状態などに応じてきめ細かい広告活動を展開し得る広告掲示方法、広告掲示システムを提供する。【解決手段】ユーザ端末３に三次元ブラウザ３１で生成された三次元空間に表示された複数のウィンドウに配置された例えば広告情報に対してクリックなどを行うと、空間生成サーバ７は該操作に応答してユーザ情報データベース１３からユーザの状態、ユーザに対するウィンドウの状態、およびユーザに対する製品カテゴリの状態を取得し、この取得したユーザの状態、ユーザに対するウィンドウの状態、ユーザに対する製品カテゴリの状態および操作の内容に対応する状態遷移規則を状態遷移情報データベース１５から取得し、この状態遷移規則に従って次のユーザの状態、ウィンドウの状態、製品カテゴリの状態を決定する。【選択図】　　　図１
2004021647.tif 000002
【特許請求の範囲】
【請求項１】
三次元空間にコンテンツを配置し、該三次元空間内を自在に移動してコンテンツの閲覧を可能とする三次元ブラウザを用いて、ユーザ端末において複数のウィンドウに広告情報を含むコンテンツを掲示する広告掲示方法であって、
ユーザの状態、ユーザに対するウィンドウの状態、およびユーザに対する製品カテゴリの状態を状態変数として各ユーザ毎にユーザ情報データベースに登録管理し、
ユーザがユーザ端末から行った操作の内容、ユーザの状態、ユーザに対するウィンドウの状態、およびユーザに対する製品カテゴリの状態を含む状態変数に基づいて次のユーザの状態、ウィンドウの状態、および製品カテゴリの状態を一意に決定する状態遷移規則を状態遷移情報データベースに登録管理し、
ユーザ端末においてユーザが操作を行った場合、該操作に応答して、該ユーザの状態、ユーザに対するウィンドウの状態、およびユーザに対する製品カテゴリの状態を前記ユーザ情報データベースから取得し、
この取得したユーザの状態、ユーザに対するウィンドウの状態、ユーザに対する製品カテゴリの状態および前記操作の内容に対応する状態遷移規則を前記状態遷移情報データベースから取得し、
この状態遷移規則に従って次のユーザの状態、ウィンドウの状態、製品カテゴリの状態を決定すること
を特徴とする広告掲示方法。
【請求項２】
前記状態遷移規則は、ユーザ端末に製品またはカテゴリに関する情報が表示されている場合において、ユーザ操作により前記表示の精度を切り替える状態変数を有することを特徴とする請求項１記載の広告掲示方法。
【請求項３】
前記状態遷移規則は、ユーザ端末に製品またはカテゴリに関する情報が表示されている場合において、ユーザ操作により前記製品またはカテゴリに関しての説明をオペレータとの対話形式で受けるための状態変数を有することを特徴とする請求項１記載の広告掲示方法。
【請求項４】
前記状態遷移規則は、ユーザ端末に製品またはカテゴリに関する情報が表示されている場合において、ユーザ操作により前記製品またはカテゴリの製品を購入するための購入画面を表示するための状態変数を有することを特徴とする請求項１記載の広告掲示方法。
【請求項５】
前記状態遷移規則は、ユーザ端末に複数のウィンドウが重畳して表示されている場合、この重畳している複数のウィンドウの少なくとも１つに対して行われた操作を他のウィンドウに対しても同様に適用する状態変数を有することを特徴とする請求項１記載の広告掲示方法。
【請求項６】
三次元空間にコンテンツを配置し、該三次元空間内を自在に移動してコンテンツの閲覧を可能とする三次元ブラウザを用いて、ユーザ端末において複数のウィンドウに広告情報を含むコンテンツを掲示する広告掲示システムであって、
ユーザの状態、ユーザに対するウィンドウの状態、およびユーザに対する製品カテゴリの状態を状態変数として各ユーザ毎に登録管理するユーザ情報データベースと、
ユーザがユーザ端末から行った操作の内容、ユーザの状態、ユーザに対するウィンドウの状態、およびユーザに対する製品カテゴリの状態に基づいて次のユーザの状態、ウィンドウの状態、および製品カテゴリの状態を一意に決定する状態遷移規則を登録管理する状態遷移情報データベースと、
ユーザ端末においてユーザが操作を行った場合、該操作に応答して、該ユーザの状態、ユーザに対するウィンドウの状態、およびユーザに対する製品カテゴリの状態を前記ユーザ情報データベースから取得する状態取得手段と、
この取得したユーザの状態、前記操作を受けたウィンドウの状態、ユーザに対する製品カテゴリの状態および前記操作の内容に対応する状態遷移規則を前記状態遷移情報データベースから取得する状態遷移規則取得手段と、
この取得した状態遷移規則に従って次のユーザの状態、ウィンドウの状態、製品カテゴリの状態を決定する状態決定手段と
を有することを特徴とする広告掲示システム。
【請求項７】
前記状態遷移規則は、ユーザ端末に製品またはカテゴリに関する情報が表示されている場合において、ユーザ操作により前記表示の精度を切り替える状態変数を有することを特徴とする請求項６記載の広告掲示システム。
【請求項８】
前記状態遷移規則は、ユーザ端末に製品またはカテゴリに関する情報が表示されている場合において、ユーザ操作により前記製品またはカテゴリに関しての説明をオペレータとの対話形式で受けるための状態変数を有することを特徴とする請求項６記載の広告掲示システム。
【請求項９】
前記状態遷移規則は、ユーザ端末に製品またはカテゴリに関する情報が表示されている場合において、ユーザ操作により前記製品またはカテゴリの製品を購入するための購入画面を表示するための状態変数を有することを特徴とする請求項６記載の広告掲示システム。
【請求項１０】
前記状態遷移規則は、ユーザ端末に複数のウィンドウが重畳して表示されている場合、この重畳している複数のウィンドウの少なくとも１つに対して行われた操作を他のウィンドウに対しても同様に適用する状態変数を有することを特徴とする請求項６記載の広告掲示システム。
【請求項１１】
請求項１乃至５のいずれかに記載の広告掲示方法における手順をコンピュータに実行させるための広告掲示プログラム。
【請求項１２】
請求項１１記載の広告掲示プログラムを記録したことを特徴とするコンピュータ読取り可能な記録媒体。
【発明の詳細な説明】
【０００１】
【発明の属する技術分野】
本発明は、三次元空間にコンテンツを配置し、該三次元空間内を自在に移動してコンテンツの閲覧を可能とする三次元ブラウザを用いて、ユーザ端末において複数のウィンドウに広告情報を含むコンテンツを掲示する広告掲示方法に関し、更に詳しくは、ウィンドウに掲示された広告情報などに対してユーザ端末から操作を行った場合に操作の内容、ユーザの状態、ウィンドウの状態、広告製品の状態などに応じてきめ細かい処理を行うことができる広告掲示方法、広告掲示システム、広告掲示プログラムおよび該プログラムを記録したコンピュータ読取り可能な記録媒体に関する。
【０００２】
【従来の技術】
三次元ブラウザを用いてユーザ端末に広告情報を掲示する広告掲示方法においては、ユーザ端末に生成された三次元空間に掲示された広告情報に対してユーザ端末から例えばクリックなどの操作を行うと、広告情報である例えば製品の画像が例えば拡大したり、または回転などして、これにより広告の製品を詳細に観察したり、別の観点から観察するなどできるようになっている。
【０００３】
【発明が解決しようとする課題】
しかしながら、従来の広告掲示方法では、広告情報に対して例えばクリックなどの操作を行った場合、ユーザの状態、ウィンドウの状態、広告製品の状態などに関係なく、常に同じ処理が行われているため、きめ細かい広告活動を行うことができないという問題がある。
【０００４】
本発明は、上記に鑑みてなされたもので、その目的とするところは、操作の内容、ユーザの状態、ウィンドウの状態、広告製品の状態などに応じてきめ細かい広告活動を展開し得る広告掲示方法、広告掲示システム、広告掲示プログラムおよび該プログラムを記録した記録媒体を提供することにある。
【０００５】
【課題を解決するための手段】
上記目的を達成するため、請求項１記載の本発明は、三次元空間にコンテンツを配置し、該三次元空間内を自在に移動してコンテンツの閲覧を可能とする三次元ブラウザを用いて、ユーザ端末において複数のウィンドウに広告情報を含むコンテンツを掲示する広告掲示方法であって、ユーザの状態、ユーザに対するウィンドウの状態、およびユーザに対する製品カテゴリの状態を状態変数として各ユーザ毎にユーザ情報データベースに登録管理し、ユーザがユーザ端末から行った操作の内容、ユーザの状態、ユーザに対するウィンドウの状態、およびユーザに対する製品カテゴリの状態を含む状態変数に基づいて次のユーザの状態、ウィンドウの状態、および製品カテゴリの状態を一意に決定する状態遷移規則を状態遷移情報データベースに登録管理し、ユーザ端末においてユーザが操作を行った場合、該操作に応答して、該ユーザの状態、ユーザに対するウィンドウの状態、およびユーザに対する製品カテゴリの状態を前記ユーザ情報データベースから取得し、この取得したユーザの状態、ユーザに対するウィンドウの状態、ユーザに対する製品カテゴリの状態および前記操作の内容に対応する状態遷移規則を前記状態遷移情報データベースから取得し、この状態遷移規則に従って次のユーザの状態、ウィンドウの状態、製品カテゴリの状態を決定することを要旨とする。
【０００６】
請求項１記載の本発明にあっては、ユーザの状態、ユーザに対するウィンドウの状態、およびユーザに対する製品カテゴリの状態を状態変数として各ユーザ毎にユーザ情報データベースに登録管理し、ユーザの操作の内容、ユーザの状態、ユーザに対するウィンドウの状態、およびユーザに対する製品カテゴリの状態を含む状態変数に基づいて次のユーザの状態、ウィンドウの状態、および製品カテゴリの状態を一意に決定する状態遷移規則を状態遷移情報データベースに登録管理し、ユーザが操作を行った場合、該操作に応答して、該ユーザの状態、ユーザに対するウィンドウの状態、およびユーザに対する製品カテゴリの状態をユーザ情報データベースから取得し、このユーザの状態、ユーザに対するウィンドウの状態、ユーザに対する製品カテゴリの状態および前記操作の内容に対応する状態遷移規則を状態遷移情報データベースから取得し、この状態遷移規則に従って次のユーザの状態、ウィンドウの状態、製品カテゴリの状態を決定するため、ユーザが操作を行った場合に、従来のようにユーザの操作に対して均一な処理を行うのでなく、ユーザの状態、ウィンドウの状態、製品カテゴリの状態に基づいてきめ細かい処理を行うことができ、広告活動をきめ細かく展開でき、ひいては製品の販売を拡大することができる。
【０００７】
また、請求項２記載の本発明は、請求項１記載の発明において、前記状態遷移規則が、ユーザ端末に製品またはカテゴリに関する情報が表示されている場合において、ユーザ操作により前記表示の精度を切り替える状態変数を有することを要旨とする。
【０００８】
請求項２記載の本発明にあっては、ユーザ端末に製品またはカテゴリに関する情報が表示されている場合において、ユーザ操作により前記表示の精度を切り替えることができる。
【０００９】
更に、請求項３記載の本発明は、請求項１記載の発明において、前記状態遷移規則が、ユーザ端末に製品またはカテゴリに関する情報が表示されている場合において、ユーザ操作により前記製品またはカテゴリに関しての説明をオペレータとの対話形式で受けるための状態変数を有することを要旨とする。
【００１０】
請求項３記載の本発明にあっては、ユーザ端末に製品またはカテゴリに関する情報が表示されている場合、ユーザ操作により製品またはカテゴリに関しての説明をオペレータとの対話形式で受けることができる。
【００１１】
請求項４記載の本発明は、請求項１記載の発明において、前記状態遷移規則が、ユーザ端末に製品またはカテゴリに関する情報が表示されている場合において、ユーザ操作により前記製品またはカテゴリの製品を購入するための購入画面を表示するための状態変数を有することを要旨とする。
【００１２】
請求項４記載の本発明にあっては、ユーザ端末に製品またはカテゴリに関する情報が表示されている場合、ユーザ操作により製品またはカテゴリの製品を購入するための購入画面を表示することができる。
【００１３】
また、請求項５記載の本発明は、請求項１記載の発明において、前記状態遷移規則が、ユーザ端末に複数のウィンドウが重畳して表示されている場合、この重畳している複数のウィンドウの少なくとも１つに対して行われた操作を他のウィンドウに対しても同様に適用する状態変数を有することを要旨とする。
【００１４】
請求項５記載の本発明にあっては、ユーザ端末に複数のウィンドウが重畳して表示されている場合、この重畳している複数のウィンドウの少なくとも１つに対して行われた操作を他のウィンドウに対しても同様に適用することができる。
【００１５】
更に、請求項６記載の本発明は、三次元空間にコンテンツを配置し、該三次元空間内を自在に移動してコンテンツの閲覧を可能とする三次元ブラウザを用いて、ユーザ端末において複数のウィンドウに広告情報を含むコンテンツを掲示する広告掲示システムであって、ユーザの状態、ユーザに対するウィンドウの状態、およびユーザに対する製品カテゴリの状態を状態変数として各ユーザ毎に登録管理するユーザ情報データベースと、ユーザがユーザ端末から行った操作の内容、ユーザの状態、ユーザに対するウィンドウの状態、およびユーザに対する製品カテゴリの状態に基づいて次のユーザの状態、ウィンドウの状態、および製品カテゴリの状態を一意に決定する状態遷移規則を登録管理する状態遷移情報データベースと、ユーザ端末においてユーザが操作を行った場合、該操作に応答して、該ユーザの状態、ユーザに対するウィンドウの状態、およびユーザに対する製品カテゴリの状態を前記ユーザ情報データベースから取得する状態取得手段と、この取得したユーザの状態、前記操作を受けたウィンドウの状態、ユーザに対する製品カテゴリの状態および前記操作の内容に対応する状態遷移規則を前記状態遷移情報データベースから取得する状態遷移規則取得手段と、この取得した状態遷移規則に従って次のユーザの状態、ウィンドウの状態、製品カテゴリの状態を決定する状態決定手段とを有することを要旨とする。
【００１６】
請求項６記載の本発明にあっては、ユーザの状態、ユーザに対するウィンドウの状態、およびユーザに対する製品カテゴリの状態を状態変数として各ユーザ毎にユーザ情報データベースに登録管理し、ユーザの操作の内容、ユーザの状態、ユーザに対するウィンドウの状態、およびユーザに対する製品カテゴリの状態を含む状態変数に基づいて次のユーザの状態、ウィンドウの状態、および製品カテゴリの状態を一意に決定する状態遷移規則を状態遷移情報データベースに登録管理し、ユーザが操作を行った場合、該操作に応答して、該ユーザの状態、ユーザに対するウィンドウの状態、およびユーザに対する製品カテゴリの状態をユーザ情報データベースから取得し、このユーザの状態、ユーザに対するウィンドウの状態、ユーザに対する製品カテゴリの状態および前記操作の内容に対応する状態遷移規則を状態遷移情報データベースから取得し、この状態遷移規則に従って次のユーザの状態、ウィンドウの状態、製品カテゴリの状態を決定するため、ユーザが操作を行った場合に、従来のようにユーザの操作に対して均一な処理を行うのでなく、ユーザの状態、ウィンドウの状態、製品カテゴリの状態に基づいてきめ細かい処理を行うことができ、広告活動をきめ細かく展開でき、ひいては製品の販売を拡大することができる。
【００１７】
請求項７記載の本発明は、請求項６記載の発明において、前記状態遷移規則が、ユーザ端末に製品またはカテゴリに関する情報が表示されている場合において、ユーザ操作により前記表示の精度を切り替える状態変数を有することを要旨とする。
【００１８】
請求項７記載の本発明にあっては、ユーザ端末に製品またはカテゴリに関する情報が表示されている場合において、ユーザ操作により前記表示の精度を切り替えることができる。
【００１９】
また、請求項８記載の本発明は、請求項６記載の発明において、前記状態遷移規則が、ユーザ端末に製品またはカテゴリに関する情報が表示されている場合において、ユーザ操作により前記製品またはカテゴリに関しての説明をオペレータとの対話形式で受けるための状態変数を有することを要旨とする。
【００２０】
請求項８記載の本発明にあっては、ユーザ端末に製品またはカテゴリに関する情報が表示されている場合、ユーザ操作により製品またはカテゴリに関しての説明をオペレータとの対話形式で受けることができる。
【００２１】
更に、請求項９記載の本発明は、請求項６記載の発明において、前記状態遷移規則が、ユーザ端末に製品またはカテゴリに関する情報が表示されている場合において、ユーザ操作により前記製品またはカテゴリの製品を購入するための購入画面を表示するための状態変数を有することを要旨とする。
【００２２】
請求項９記載の本発明にあっては、ユーザ端末に製品またはカテゴリに関する情報が表示されている場合、ユーザ操作により製品またはカテゴリの製品を購入するための購入画面を表示することができる。
【００２３】
請求項１０記載の本発明は、請求項６記載の発明において、前記状態遷移規則が、ユーザ端末に複数のウィンドウが重畳して表示されている場合、この重畳している複数のウィンドウの少なくとも１つに対して行われた操作を他のウィンドウに対しても同様に適用する状態変数を有することを要旨とする。
【００２４】
請求項１０記載の本発明にあっては、ユーザ端末に複数のウィンドウが重畳して表示されている場合、この重畳している複数のウィンドウの少なくとも１つに対して行われた操作を他のウィンドウに対しても同様に適用することができる。
【００２５】
また、請求項１１記載の本発明は、請求項１に記載の広告掲示方法を広告掲示プログラムでコンピュータに実行させることを要旨とする。
【００２６】
請求項１１記載の本発明にあっては、ユーザが操作を行った場合、ユーザの状態、ユーザに対するウィンドウの状態、ユーザに対する製品カテゴリの状態およびユーザ操作の内容に対応する状態遷移規則に従って次のユーザの状態、ウィンドウの状態、製品カテゴリの状態を決定するため、ユーザが操作を行った場合に、従来のようにユーザの操作に対して均一な処理を行うのでなく、ユーザの状態、ウィンドウの状態、製品カテゴリの状態に基づいてきめ細かい処理を行うことができ、広告活動をきめ細かく展開でき、ひいては製品の販売を拡大することができる。
【００２７】
更に、請求項１２記載の本発明は、請求項１１記載の広告掲示プログラムをコンピュータ読取り可能な記録媒体に記録することを要旨とする。
【００２８】
請求項１２記載の本発明にあっては、請求項１１記載の広告掲示プログラムをコンピュータ読取り可能な記録媒体に記録しているため、該記録媒体を用いて、その流通性を高めることができる。
【００２９】
【発明の実施の形態】
以下、図面を用いて本発明の実施の形態を説明する。図１は、本発明の一実施形態に係る広告掲示方法を実施する広告掲示システムの構成を示すブロック図である。
【００３０】
図１に示す実施形態の広告掲示システムは、インターネットなどのネットワーク１に接続されたユーザ端末３、このユーザ端末３にネットワーク１を介して接続された広告サーバ５、ネットワーク１を介してユーザ端末３および広告サーバ５に接続された空間生成サーバ７を有し、広告サーバ５には広告情報データベース１１が接続され、空間生成サーバ７にはユーザ情報データベース１３および状態遷移情報データベース１５が接続されている。ユーザ端末３は、三次元空間にコンテンツを配置し、該三次元空間内を自在に移動してコンテンツの閲覧を可能とする三次元ブラウザ３１を内蔵している。また、広告情報データベース１１は、広告サーバ５の制御のもとに広告情報を登録管理するようになっている。
【００３１】
本実施形態の広告掲示システムは、ユーザ端末３において三次元ブラウザ３１を用いてウィンドウに掲示された広告情報などに対してユーザ端末３から例えばクリックなどの操作を行った場合に該操作の内容、ユーザの状態、ユーザに対するウィンドウの状態、ユーザに対する製品カテゴリの状態などの状態変数などに応じてきめ細かい処理を行うものであり、ユーザ情報データベース１３にはユーザの状態、ユーザに対するウィンドウの状態、およびユーザに対する製品カテゴリの状態が状態変数として各ユーザ毎に登録管理され、また状態遷移情報データベース１５にはユーザがユーザ端末３から行った操作の内容、ユーザの状態、ユーザに対するウィンドウの状態、およびユーザに対する製品カテゴリの状態を含む状態変数に基づいて次のユーザの状態、ウィンドウの状態、および製品カテゴリの状態を一意に決定する状態遷移規則が登録管理されている。
【００３２】
そして、空間生成サーバ７は、ユーザ端末３の三次元ブラウザ３１上に三次元空間を生成し、この三次元空間の複数のウィンドウに広告情報を含むコンテンツを配置し、ユーザ端末３の三次元ブラウザ３１で三次元空間内を自在に移動してコンテンツの閲覧を可能とする三次元空間を生成する三次元空間生成処理手段７０、前記ユーザ情報データベース１３および状態遷移情報データベース１５を管理するデータベース管理手段７１、このデータベース管理手段７１を介してユーザ情報データベース１３からユーザの状態、ユーザに対するウィンドウの状態、およびユーザに対する製品カテゴリの状態を取得する状態取得手段７３、データベース管理手段７１を介して状態遷移情報データベース１５から状態遷移規則を取得する状態遷移規則取得手段７５、およびこの取得した状態遷移規則に従って次のユーザの状態、ウィンドウの状態、製品カテゴリの状態を決定する状態決定手段７７を有する。
【００３３】
図２は、三次元空間生成処理手段７０によりユーザ端末３の三次元ブラウザ３１上に生成された三次元空間に複数のウィンドウを配置し、各ウィンドウに広告情報を含むコンテンツを表示した三次元空間の例を示す図である。ユーザは、このようにユーザ端末３に生成された三次元空間内を三次元ブラウザ３１で自在に移動して所望のコンテンツを閲覧することができるようになっている。
【００３４】
次に、図３に示すフローチャートを参照して、上述したように構成される広告掲示システムの作用について説明する。
【００３５】
まず、ユーザ端末３から空間閲覧要求がネットワーク１を介して空間生成サーバ７に送信されると（ステップＳ１１）、空間生成サーバ７は、この空間閲覧要求に応じて複数のウィンドウに広告情報を含むコンテンツを配置した例えば図２に示すような三次元空間を生成してユーザ端末３に送信し、ユーザ端末３において三次元空間に配置された広告情報を含むコンテンツの閲覧を可能とする（ステップＳ１３）。なお、このようにユーザ端末３に生成された三次元空間のウィンドウに広告を掲示する場合には、空間生成サーバ７はその情報を広告情報データベース１１に通知し、広告情報データベース１１が該当する広告情報を空間生成サーバ７に返送する。そして、空間生成サーバ７はこの広告情報を三次元空間のウィンドウに掲示する。
【００３６】
このようにユーザ端末３に生成された三次元空間に表示された複数のウィンドウに配置された例えば広告情報に対してユーザ端末３が例えばクリックなどの操作を行うと（ステップＳ１５）、空間生成サーバ７は、ユーザ端末３からの前記操作に応答してユーザ情報データベース１３からユーザの状態、ユーザに対するウィンドウの状態、およびユーザに対する製品カテゴリの状態を取得する（ステップＳ１７）。
【００３７】
次に、空間生成サーバ７は、この取得したユーザの状態、ユーザに対するウィンドウの状態、ユーザに対する製品カテゴリの状態および前記操作の内容に対応する状態遷移規則を状態遷移情報データベース１５から取得し（ステップＳ１９）、この取得した状態遷移規則に従って次のユーザの状態、ウィンドウの状態、製品カテゴリの状態を決定する（ステップＳ２１）。そして、この決定された次の状態の処理が行われるとともに、この決定された次の状態でユーザ情報データベース１３の内容が更新される。
【００３８】
次に、上述したようにユーザ情報データベース１３に格納されている状態変数および状態遷移情報データベース１５に格納されている状態遷移規則について具体例を挙げて説明する。
【００３９】
まず、状態変数の例として、ユーザＡの状態とユーザＡに対する製品カテゴリの状態について説明し、この状態変数を用いた場合の状態遷移規則とこの状態遷移規則に基づいて決定される次のユーザの状態、ウィンドウの状態、製品カテゴリの状態について説明する。
【００４０】
ユーザＡに対する状態変数としては、例えば、次の表１に示すような状態変数があり、ユーザ情報データベース１３に登録管理されている。
【００４１】
【表１】
2004021647.tif 000003
また、ユーザＡに対する製品カテゴリの状態としては、例えば、次の表２に示すような状態変数があり、ユーザ情報データベース１３に登録管理されている。
【００４２】
【表２】
2004021647.tif 000004
このユーザＡに対する製品カテゴリの状態は、ＡＩＤＭＡ（アイドマ）の法則を適用したものである。すなわち、ＡはＡｔｔｅｎｔｉｏｎ（注目）、ＩはＩｎｔｅｒｅｓｔ（興味）、ＤはＤｅｓｉｒｅ（欲求）、ＭはＭｅｍｏｒｙ（記憶）、ＡはＡｃｔｉｏｎ（行動）であり、このＡ−Ｉ−Ｄ−Ｍ−Ａの順序でユーザがある製品を知り、それから購入するという行動（Ａｃｔｉｏｎ）に至るというものである。
【００４３】
具体的には、ある製品を知らないユーザに呼びかけて注意（Ａｔｔｅｎｔｉｏｎ）を引いて知ってもらい、その製品に興味（Ｉｎｔｅｒｅｓｔ）をもてば関心の段階に進み、良いなとか使ってみたいなと思えば欲求（Ｄｅｓｉｒｅ）の段階に進み、その時の欲求が強ければ強いほど記憶（Ｍｅｍｏｒｙ）され、後日買い物に行った時やインターネットでその商品を見つけた時に記憶が蘇らされ、その商品を買えば最後に行動（Ａｃｔｉｏｎ）に移ったというものである。
【００４４】
なお、上述したユーザＡに対する製品カテゴリの状態は、例えば本広告掲示システムのサービス開始時に各ユーザに対して各カテゴリ「製品」についてアンケートを実施し、各カテゴリ「製品」に対してどの程度興味をもっているかについての情報を取得し、この情報を元に各ユーザの各カテゴリ「製品」に対する状態としてＡ（注目）、Ｉ（興味）、Ｄ（欲求）、Ｍ（記憶）、Ａ（行動）を判定し、ユーザ情報データベース１３に格納したり、またアンケートが困難な場合には、すべてのカテゴリ「製品」に対する初期状態をＡ（行動）に設定してユーザ情報データベース１３に格納しておいてもよいものである。
【００４５】
また、状態遷移規則の例として、ユーザ端末３の三次元ブラウザ３１内で生成される三次元空間に配置されるウィンドウに例えばカテゴリ「自動車」の動画が再生されている状態において、ユーザがこのウィンドウをユーザ端末３からクリックした場合に、ユーザＡの現在の状態変数「態度」が「パッシブ（消極的）」であり、かつユーザＡに対する製品カテゴリの状態として状態変数「カテゴリへの状態」が「Ａ：行動」であるとすると、次の状態として、例えばユーザＡの状態変数「態度」は「パッシブ（消極的）」から「アクティブ（積極的）」に切り替わるとともに、ユーザＡに対する製品カテゴリの状態は状態変数「カテゴリへの状態」が表２に示した現在の状態からＡ（注目）−Ｉ（興味）−Ｄ（欲求）−Ｍ（記憶）−Ａ（行動）の順序で次の状態に１段進むことになる。
【００４６】
また、ユーザ端末３の三次元ブラウザ３１内で生成される三次元空間に配置されるウィンドウに例えば製品が表示されていて、このウィンドウに対する操作の種類と、その操作に対応する状態遷移後のウィンドウの状態との対応関係である状態遷移規則は、例えば次に示す表３のようなものがある。
【００４７】
【表３】
2004021647.tif 000005
すなわち、ユーザ端末３の三次元ブラウザ３１内で生成される三次元空間に配置されるウィンドウに例えば製品が表示されている場合において、ユーザがユーザ端末３から該ウィンドウをクリックすると、当該製品の詳細な情報が表示されることになる。なお、ユーザ端末３における他の操作としては、カーソルがウィンドウから外に出る「カーソル・アウト」、ウィンドウを手前に拡大して表示する「ピック・アップ」、購入する前に買物籠の中に入れる「取り置き」などがある。
【００４８】
また、ユーザ端末３の三次元ブラウザ３１内で生成された三次元空間に配置されたウィンドウに例えば製品が表示されている場合において、ユーザがユーザ端末３から当該ウィンドウにカーソル・インしたとすると、表３に示した状態遷移規則から当該ウィンドウは拡大表示され、このウィンドウの状態は、例えばサイズが１０から２０の値になる。
【００４９】
また、状態遷移規則の他の例として、ユーザ端末３の三次元ブラウザ３１内で生成される三次元空間に配置されるウィンドウに製品またはカテゴリに関する情報、例えば静止画、動画、説明文などの情報が表示されている場合において、該表示の精度（要約／詳細の度合い）を切り替える表示要約度についての状態変数に対する状態遷移規則について説明する。
【００５０】
この状態遷移規則の例として、ユーザＡがユーザ端末３でカテゴリ「自動車」に含まれる製品１の広告が例えば図２の広告枠１内に表示されて掲出されている三次元空間を閲覧している場合において、ユーザＡの状態として状態変数「態度」が「パッシブ（消極的）」であり、かつユーザＡに対する製品カテゴリの状態として状態変数「カテゴリへの状態」が「Ｉ：興味」である場合に、次の状態として、製品１を説明する動画を再生するという状態遷移規則が状態遷移情報データベース１５に登録管理されているとすると、ユーザＡの状態が「態度＝パッシブ（消極的）」であり、ユーザＡに対する製品カテゴリの状態が「カテゴリへの状態」＝「Ｉ：興味」である場合、ユーザ端末３の三次元空間のウィンドウの広告枠、すなわち図２に示す広告１の枠内には、製品１を説明する動画が再生されることになる。
【００５１】
これをまとめると、状態遷移規則は、次表のようになる。
【００５２】
【表４】
2004021647.tif 000006
また、状態遷移規則の別の例として、ユーザ端末３の三次元ブラウザ３１内で生成される三次元空間に配置されるウィンドウに製品またはカテゴリに関する情報が表示されている場合において、該製品またはカテゴリに関しての説明をオペレータとの対話形式で受けるインタラクション用の画面や音声の発生についての状態変数に対する状態遷移規則について説明する。
【００５３】
この状態遷移規則の例として、ユーザＡがユーザ端末３でカテゴリ「ＰＤＡ」に含まれる製品２の広告が例えば図２のウィンドウに表示されて掲示されている三次元空間を閲覧している場合において、ユーザＡの状態として状態変数「態度」が「パッシブ（消極的）」であり、かつユーザＡに対する製品カテゴリの状態として状態変数「カテゴリへの状態」が「Ｍ：記憶」である場合に、次の状態として、ＴＶ会議システムを起動して、オペレータからその製品に関して説明を行うという状態遷移規則が状態遷移情報データベース１５に登録管理されているとすると、ユーザＡの状態が「態度＝パッシブ（消極的）」であり、ユーザＡに対する製品カテゴリの状態が「カテゴリへの状態」＝「Ｍ：記憶」である場合、ＴＶ会議システムを起動して、オペレータから、その製品２に関する説明が行われることになる。
【００５４】
これをまとめると、状態遷移規則は、次表のようになる。
【００５５】
【表５】
2004021647.tif 000007
具体的には、上記状態遷移規則では、ユーザ端末３に生成された三次元空間内の広告枠には、「製品２について、オペレータからの説明を希望しますか？」というメッセージが表示され、ユーザがそれを希望すると、ＴＶ会議システムが起動され、製品２についてオペレータから説明が行われる。
【００５６】
状態遷移規則の更に他の例として、ユーザ端末３に製品またはカテゴリに関する情報が表示されている場合において、該製品またはカテゴリの製品を購入するための購入画面を表示するための購入の誘引についての状態変数に対する状態遷移規則について説明する。
【００５７】
その状態遷移規則の例として、ユーザＡがユーザ端末３でカテゴリ「携帯電話」に含まれる製品３の広告が例えば図２の広告枠１内に表示されて掲出されている三次元空間を閲覧している場合において、ユーザＡの状態として状態変数「態度」が「パッシブ（消極的）」であり、かつユーザＡに対する製品カテゴリの状態として状態変数「カテゴリへの状態」が「Ａ：行動」である場合に、次の状態として、そのカテゴリの「製品３」の購入行動を可能とする入力画面である購買画面が表示されるという状態遷移規則が状態遷移情報データベース１５に登録管理されているとすると、ユーザＡの状態が「態度＝パッシブ（消極的）」であり、ユーザＡに対する製品カテゴリの状態が「カテゴリへの状態」＝「Ａ：行動」である場合、ユーザ端末３の三次元空間のウィンドウの広告枠、すなわち図２に示す広告１の枠内には、製品３の購入するための購買画面が表示される。
【００５８】
これをまとめると、状態遷移規則は、次表のようになる。
【００５９】
【表６】
2004021647.tif 000008
具体的には、上記状態遷移規則では、ユーザ端末３に生成された三次元空間内の広告枠には、「カテゴリ「携帯電話」について、購買画面を表示しますか？」というメッセージが表示され、ユーザが希望すると、カテゴリ「携帯電話」の購買画面が表示される。
【００６０】
状態遷移規則の更に別の例として、ユーザ端末３に複数のウィンドウが重畳して表示されている場合、この重畳している複数のウィンドウの少なくとも１つに対して行われた操作を他のウィンドウに対しても同様に適用するという物理的な影響範囲についての状態変数に対する状態遷移規則について説明する。
【００６１】
この状態遷移規則の例として、ユーザ端末３の三次元ブラウザ３１内で生成される三次元空間に複数のウィンドウが重複して表示され、その中の１つのウィンドウにカテゴリ「ＰＤＡ」に含まれる製品が表示されていたとして、ユーザがこのカテゴリ「ＰＤＡ」に含まれる製品が表示されているウィンドウを例えばクリックしたとすると、このウィンドウに重畳されている他のウィンドウもクリックされた状態になるものである。なお、他のウィンドウはクリックされた状態にはなるが、このウィンドウに切り替わることはない。
【００６２】
状態遷移規則の他の例として、ユーザ端末３の三次元ブラウザ３１内で生成される三次元空間に表示されているウィンドウの状態管理についての状態遷移規則について説明する。すなわち、三次元空間に表示されているウィンドウに対してユーザがユーザ端末３からカーソル・インすると、ウィンドウは拡大表示されるという状態遷移規則が状態遷移情報データベース１５に登録管理されているとすると、三次元空間に表示されているウィンドウにユーザがユーザ端末３からカーソル・インすると、ウィンドウは次表７に示すようにサイズが例えば１０から２０に拡大表示されることになる。
【００６３】
【表７】
2004021647.tif 000009
なお、ウィンドウの状態としては、上述したウィンドウのサイズの他に、ウィンドウの配置位置（特にＺ方向の奥行き）、ウィンドウの枠の有無や色、ウィンドウの補助表示の有無や色などがある。
【００６４】
なお、上記実施形態の広告掲示方法の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、広告掲示方法を実施する広告掲示装置として機能させることができることは勿論であり、このような記録媒体を用いることにより、その流通性を高めることができるものである。
【００６５】
【発明の効果】
以上説明したように、本発明によれば、ユーザが操作を行った場合、ユーザの状態、ユーザに対するウィンドウの状態、ユーザに対する製品カテゴリの状態およびユーザ操作の内容に対応する状態遷移規則に従って次のユーザの状態、ウィンドウの状態、製品カテゴリの状態を決定するので、ユーザが操作を行った場合に、従来のようにユーザの操作に対して均一で決まりきった処理を行うのでなく、ユーザの状態、ウィンドウの状態、製品カテゴリの状態に基づいてきめ細かい処理を行うことができ、広告活動をきめ細かく展開でき、ひいては製品の販売を拡大することができる。
【図面の簡単な説明】
【図１】本発明の一実施形態に係る広告掲示方法を実施する広告掲示システムの構成を示すブロック図である。
【図２】図１に示す実施形態の広告掲示システムに使用されている三次元空間生成処理手段によりユーザ端末の三次元ブラウザ上に生成された三次元空間に複数のウィンドウを配置し、各ウィンドウに広告情報を含むコンテンツを表示した三次元空間の例を示す図である。
【図３】図１に示す実施形態の広告掲示システムの作用を示すフローチャートである。
【符号の説明】
１　ネットワーク
３　ユーザ端末
５　広告サーバ
７　空間生成サーバ
１１　広告情報データベース
１３　ユーザ情報データベース
１５　状態遷移情報データベース
３１　三次元ブラウザ
７０　三次元空間生成処理手段
７１　データベース管理手段
７３　状態取得手段
７５　状態遷移規則取得手段
７７　状態決定手段
【図１】
2004021647.tif 000010
【図２】
2004021647.tif 000011
【図３】
2004021647.tif 000012